(57)【要約】      （修正有）【課題】吸い込み効率が高く、構造が簡単で且つ加工が容易なタービンを提供する。【解決手段】タービンはトップカバー１１０、ボトムカバー１２０及びトップカバーとボトムカバーの間に被覆夾設された羽根１３０を含み、羽根は中心軸１４０まで延伸され、羽根の軸方向上の投影は重畳しない。これにより、外部空気は入気口１１１より吸入された後に、迅速に羽根に沿って流れて回り、最後に周囲の出気口１５０より排出され、吸い込み効率をアップする。羽根の入気口に対応する部分には、回転方向上に延伸曲面１３３が延伸されているのが好ましい。【選択図】図１
0003197232.tif 000002
【実用新案登録請求の範囲】
【請求項１】
タービンにおいて、中心軸、トップカバー、ボトムカバー及び該トップカバーとボトムカバーの間に被包夾設された羽根を含み、該トップカバーに入気口が開設され、該トップカバーと該ボトムカバーの外周縁部分に出気口が形成され、該羽根は該中心軸まで延伸され、該羽根の軸方向上の投影は重畳しないことを特徴とする、タービン。
【請求項２】
請求項１記載のタービンにおいて、該羽根の該入気口に対応する部分には回転方向上に延伸曲面が延伸されたことを特徴とする、タービン。
【請求項３】
請求項２記載のタービンにおいて、該延伸曲面は該入気口内に被包夾設されたことを特徴とする、タービン。
【請求項４】
請求項１記載のタービンにおいて、該タービンは迎風面積が該羽根より小さい副羽根を含み、該副羽根と該羽根は離間配列されたことを特徴とする、タービン。
【請求項５】
請求項４記載のタービンにおいて、該副羽根の一端は該中心軸に接近するが不接触で、該羽根の他端は該ボトムカバーの外周縁と揃い、該副羽根は隣り合う二つの該羽根の間の円弧長さを逆時計方向に沿って１：２から１：１の間に両端の円弧長さに分けることを特徴とする、タービン。
【請求項６】
請求項５記載のタービンにおいて、該副羽根の該中心軸と不接触の一端は該入気口の軸方向投影面内に位置することを特徴とする、タービン。
【請求項７】
請求項４記載のタービンにおいて、該羽根は３個或いは４個或いは５個とされ、該副羽根の数量は羽根の数量と同じであることを特徴とする、タービン。
【請求項８】
請求項１記載のタービンにおいて、該羽根の一端は該中心軸まで延伸され、該羽根の他端は該ボトムカバーの外周縁と揃い、該羽根、該トップカバー、該ボトムカバー及び該中心軸は該タービン内の腔室を分割して数量が該羽根の数量と等しい小腔室となすことを特徴とする、タービン。
【請求項９】
請求項１記載のタービンにおいて、該ボトムカバーの中心部には突起が設けられ、該突起の最高部分から該ボトムカバーの底面に内凹曲面が形成され、該内凹曲面はその下面が該ボトムカバーの底面と接触することを特徴とする、タービン。
【請求項１０】
請求項１記載のタービンにおいて、該タービンはモールディングで形成されたことを特徴とする、タービン。
【考案の詳細な説明】
【技術分野】
【０００１】
本考案はファン領域に係り、特に一種のタービンに関する。
【背景技術】
【０００２】
掃除機は電動機で吸い込みファンを駆動して負圧を発生して除塵を行うクリーニング電器である。掃除機は操作時に、灰塵を飛揚させず、並びに縫い目及びカーペット上の一般にはクリーニングしにくい塵屑を吸い取ることができ、使用に便利で、衛生的で、広く家庭と公共の場所で使用されている。
【０００３】
掃除機の吸い込みファンに常用されている構造は遠心ファン構造とタービン構造である。遠心ファン構造は、遠心ファンを掃除機の吸い込みファンとして採用している。遠心ファンの構造は簡単で、製造しやすく、且つ掃除機製品においてプラスチックを主要材料として使用するため、遠心ファン構造はプラスチックモールディング方式で成形され、このため遠心ファンは広く受け入れられている。ただし、遠心ファンの吸い込み効率は理想的ではなく、特に電池で給電するポータブル設備において使用されるとき、遠心ファンの吸い込み効率が高くなるほど、動作時に消費される電力も多くなる。周知のタービン構造の吸い込み効率は遠心ファンより高いが、その形状は複雑で、加工が難しく、製品コストが高くなる。
【考案の概要】
【考案が解決しようとする課題】
【０００４】
これに基づき、上述の問題に対して、一種の、吸い込み効率が高く、構造が簡単で且つ加工が容易なタービンを提供する必要がある。
【課題を解決するための手段】
【０００５】
本考案は一種のタービンを提供し、それはトップカバー、ボトムカバー及び該トップカバーと該ボトムカバーの間に被覆夾設された羽根を含み、上記トップカバーには入気口が開設され、上記トップカバーとボトムカバーの外周縁部分に出気口が形成され、上記羽根は中心軸まで延伸され、該羽根の軸方向上の投影は重畳しない。
【０００６】
ある実施例中、上記羽根の、上記入気口に対応する部分に、回転方向上に延伸された延伸曲面が有る。
【０００７】
ある実施例中、上記延伸曲面は上記入気口内に被覆夾設される。
【０００８】
ある実施例中、上記タービンは、上記羽根より迎風面積が小さい副羽根をさらに含み、上記副羽根と羽根は離間配列される。
【０００９】
ある実施例中、上記副羽根の一端は上記中心軸に接近するが接触せず、他端は上記ボトムカバーの外周縁と揃い、上記副羽根は隣り合う二つの羽根の間の円弧を、逆時計方向に沿って円弧の長さの比を１：２から１：１の間の両端の円弧に分ける位置にある。
【００１０】
ある実施例中、上記副羽根の上記中心軸と不接触の一端は、上記入気口の軸方向投影面内に位置する。
【００１１】
ある実施例中、上記羽根は３個或いは４個或いは５個とされ上記副羽根の個数は羽根の個数と同じである。
【００１２】
ある実施例中、上記羽根の一端は中心軸上まで延伸され、他端は上記ボトムカバーの外周縁と揃えられ、上記羽根、トップカバー、ボトムカバー及び中心軸は上記タービン内の腔室を数量が上記羽根の数量と等しい小腔室に分割する。
【００１３】
ある実施例中、上記ボトムカバーの中心奉に突起が設けられ、上記突起の最高部分から上記ボトムカバーの底面に内凹曲面が形成され、上記内凹曲面とした面の底面は互いに接する。
【００１４】
ある実施例中、上記タービンは金型を用いて成形される。
【考案の効果】
【００１５】
上記タービンはトップカバー、ボトムカバー及びトップカバーとボトムカバーの間に被覆夾設された羽根を含み、羽根は上記中心軸まで延伸され、且つ羽根の、軸方向の投影は重畳しない。これにより、外部空気が入気口より吸入された後に、迅速に羽根に沿って流れて回り、最後に周囲の出気口より排出され、遠心ファンと較べると、本考案の構造はタービンの吸い込み効率をアップし、且つ標準のタービンと比較すると、本考案の構造はより簡単で、加工がより容易であり、これにより製造コストを削減することができる。
【図面の簡単な説明】
【００１６】
【図１】本考案の実施例の構造表示図である。
【図２】図１の実施例のボトムカバーと羽根の構造表示図である。
【図３】図１の実施例の径方向断面図である。
【図４】図１の実施例の底面視による構造図である。
【考案を実施するための形態】
【００１７】
本考案の上記目的、特徴及び長所をより明確にご理解いただけるように、以下に図面と組み合わせて本考案の具体的実施方式について詳細に説明する。以下の記述中、本考案を十分にご理解いただけるように非常に多くの具体的な細部が説明されている。しかし、本考案はこの説明とは異なる以上に多くのその他の方式により実施可能であり、本領域の技術者は本考案のカバーする範囲より逸脱しない状況下で、類似の改善を行うことができ、これにより本考案は以下に公開される具体的実施例の制限を受けない。
【００１８】
説明を要することとして、装置が他の装置に「固定」されているとは、直接に他の装置に固定されているか、或いは中間の装置が存在し得る。ある一つの装置が他の装置に「連接」されるとは、直接にある一つの装置に連接されるかその間に中間装置が存在し得る。
【００１９】
特に定義することがなければ、本文で使用される全ての技術と科学用語は本考案の技術の領域の者が通常理解する意義と同じである。本文中、本考案の明細書中で使用される用語は具体的な実施例を記述する目的のためであって、本考案を制限するためのものではない。本文中で使用される「及び又は」は、一つ或いは複数の関係する列記項目の任意の及び全ての組合せを含む。
【００２０】
図１及び図２を参照されたい。本考案は一種のタービン１００を提供する。該タービン１００は、トップカバー１１０、ボトムカバー１２０、トップカバー１１０とボトムカバー１２０の間に被覆夾設される羽根１３０及び中心軸１４０を含み、中心軸１４０は羽根１３０のタービン１００の軸心部分の交差軸である。トップカバー１１０には入気口１１１が開設され、トップカバー１１０とボトムカバー１２０の間は羽根１３０が設けられ、これによりトップカバー１１０とボトムカバー１２０の外周縁部分に出気口１５０が形成され、羽根１３０は中心軸１４０まで延伸され、且つ該羽根１３０の、入気口１１１に対応する部分は、回転方向上に延伸曲面１３３が延伸され、外部空気がタービン１００内に進入する時に、該延伸曲面１３３に沿って流れて回り、その後、さらに周囲の出気口１５０より排出され、このようにして、空気の流転の効率が増加され、タービン１００の吸い込み効率が増加され得る。作業時には、モータとタービン１００が組み合わされ、タービン１００がモータの駆動により回転し、外部空気は羽根１３０の回転により入気口１１１よりタービン１００内に吸い込まれ、並びに出気口１５０をとおりタービン１００より排出され、遠心ファンに較べると、本考案の吸い込み効率は高く、且つ周知のタービン構造に較べると、本考案の構造はより簡単であり、加工が容易で、これにより加工コストを減らすことができる。
【００２１】
図２及び図３に示されるように、中心軸１４０とモータが組み合わされ、これにより該中心軸１４０が全体のタービン１００を駆動して回転させられる。羽根１３０は円弧形を呈し、且つ円周方向に沿ってボトムカバー１２０上に配列されている。羽根１３０の一端は中心軸１４０に固定され、他端はボトムカバー１２０の外周縁に揃えられ、これにより、羽根１３０にトップカバー１１０とボトムカバー１２０が組み合わされて、一つの連通する出気口１５０が形成される。羽根１３０、トップカバー１１０、ボトムカバー１２０及び中心軸１４０は、全体のタービン１００内の腔室を、複数の小腔室に分割し、且つ複数の小腔室の数量は、羽根の数量と等しい。このことは、羽根１３０と、トップカバー１１０、ボトムカバー１２０との間、さらには中心軸１４０との間が接続固定されていることを代表する。羽根１３０の入気口１１１に対応する部分は、タービン１００の回転方向に延伸曲面１３３が延伸され、且つ該羽根１３０の軸方向上の投影は重ならない。一つの羽根１３０であっても複数の羽根１３０であっても、軸方向上の投影は互いに重畳しない。この延伸された延伸曲面１３３は、入気口１１１内に被包されるが、該延伸曲面１３３は必ずしも入気口１１１の外周縁と揃っていない。これは、外部空気がタービン１００内に吸い込まれるときに、該延伸曲面１３３に沿って流転することを保証し、且つ羽根１３０の軸方向上の投影が互いに重畳しないことは、外部空気がタービン１００内に進入して流転するときの抵抗力が小さくなり、これにより、外部空気のタービン１００内での流転速度をアップし、これにより、これによりタービン１００の吸い込み効率をアップすることを意味する。本実施例中、全部で４つの羽根１３０が設置され、その他の方式では、３個、５個或いはその他の数量とされ得て、この部分では具体的な要求はない。
【００２２】
図２、３及び図４に示されるように、好ましくは、タービン１００はさらに、迎風面積が羽根１３０より小さい副羽根１３１を含み、副羽根１３１と羽根１３０は離間配列され、副羽根１３１の一端はボトムカバー１２０の外周縁と揃えられ、他端は入気口１１１の径方向投影面内に位置する。各隣り合う二つの羽根１３０の間には一つの副羽根１３１が設けられ、羽根１３０とトップカバー１１０及びボトムカバー１２０が形成する出気口１５０は二つの出気口１５０に分けられる。副羽根１３１の構造と羽根１３０の延伸曲面１３３が延伸される前の構造は同じであり、且つ副羽根１３１の長さは羽根１３０に較べて短い。トップカバー１１０の外側よりタービン１００内部を見る時、入気口１１１を通して副羽根１３１の中心軸１４０に接近する一端（中心軸１４０とは接触しない）、すなわち、副羽根１３１の中心軸１４０に接近する一端は、入気口１１１の径方向上の投影面内にあり且つ中心軸１４０と接触しない。外部空気は延伸曲面１３３に沿って流転後に分流され、それぞれ流転し二つの隣り合う羽根１３０とその中間の副羽根１３１が形成する流路内に進入し、その後に、さらに周囲の出気口１５０より排出され、このようなタービン１００の設計は、外部空気のタービン１００内部の流転効率と排出効率を増加し得る。副羽根１３１の設置される数量は、羽根１３０の数量により定まり、羽根１３０と副羽根１３１は離間設置され、ゆえに副羽根１３１の数量と羽根１３０の数量は等しい。ゆえに、本実施例中、羽根１３０と同じく四つの副羽根１３１が設けられ、その他の実施例中では羽根１３０と同じく３個或いは５個が設けられ得る。
【００２３】
羽根１３０と副羽根１３１はいずれも一端がボトムカバー１２０の外周縁と揃えられ、また羽根１３０と副羽根１３１は互いに離間配列され、ゆえに、副羽根１３１は必然的に隣り合う二つの羽根１３０の間の円弧を２段に分ける。本実施方式では、逆時計回りに、この２段の円弧の比は４：５とされ、その他の実施方式では、逆時計方向に、この２段の円弧の比は１：２から１：１の間の任意の比とされ、すなわち、副羽根１３１の二つの羽根１３０の間の設置位置には具体的な要求はなく、ただ副羽根１３１がそれに対応する両辺の羽根１３０の間の円弧の長さを逆時計方向に沿って１：２から１：１の間の２段の円弧に分ける位置にあればよい。
【００２４】
羽根１３０より延伸された延伸曲面１３３は入気口１１１内に被包夾設され、すなわち、羽根１３０より延伸された延伸曲面１３３は入気口１１１の投影面内にあり、且つ延伸曲面１３３は必ずしも入気口１１１の外周縁と揃っていなくてもよく、また一部の羽根１３０は延伸曲面１３３が延伸されているため残りの部分の羽根１３０及び副羽根１３１の高さより高く、ゆえに、トップカバー１１０は羽根１３０に合わせて入気口１１１も延伸させる必要があり、こうすることで、延伸された延伸曲面１３３が入気口１１１内に被包夾設される。
【００２５】
ボトムカバー１２０の中心部には突起１２１があり、突起１２１と中心軸１４０は接続され、且つ突起１２１の最高部分からボトムカバー１２０の底面に、内凹曲面１２２が形成され、該内凹曲面１２２のラジアンに特殊な要求はなく、ただ該内凹曲面１２２と下面の底面が接触すればよい。羽根１３０が該内凹曲面１２２とより緊密に接合できるように、ボトムカバー１２０上に置かれる羽根１３０のボトムカバー１２０と接触する面には該内凹曲面１２２とマッチする外凸曲面１３４が設置される。
【００２６】
羽根１３０はボトムカバー１２０上に固定され、トップカバー１１０と羽根１３０の間も固定接続され、且つ羽根１３０の構造は簡単で、該タービン１００を生産加工するとき、モールディング方式により、たとえば射出成形、すなわち、型を使用する成形方式により、該タービン１００を加工できる。
【００２７】
該タービン１００とモータを組み合わせて使用するとき、モータを起動すると、モータが該タービン１００を駆動して回転させる。羽根１３０によりタービン１００内の気体が回転し、気体は延伸曲面１３３に沿って流転した後、羽根１３０と副羽根１３１の間に形成された流路中で分流され流転し、並びに遠心力作用下で周囲の出気口１５０より排出される。タービン１００内の気体が排出された後、タービン１００内の圧力は入気口１１１外の圧力より低くなり、圧力差の作用下で、外部空気が入気口１１１よりタービン１００内に吸入され、このように循環往復してその対応する技術効果を達成する。
【００２８】
上述のタービン１００はトップカバー１１０、ボトムカバー１２０及びトップカバー１１０とボトムカバー１２０の間に被覆され挟まれる羽根１３０を含み、羽根１３０は円弧形羽根であり、且つ円周方向に沿ってトップカバー１１０とボトムカバー１２０の間に設置され、羽根１３０の入気口１１１に対応する部分は、回転方向上にあって延伸曲面１３３が延伸される。これにより、外部空気が入気口１１１より吸入された後、迅速に延伸曲面１３３及び羽根１３０と副羽根１３１の間に形成された流路を通過し、最後に周囲の出気口１５０より排出され、遠心ファンと比較すると、本考案の構造はタービン１００の吸い込み効率をアップし、且つ周知のタービンと比較すると、本考案の構造はより簡単で、加工がより容易で、これにより製造コストを削減できる。
【００２９】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００３０】
１００  タービン
１１０  トップカバー
１１１  入気口
１２０  ボトムカバー
１２１  突起
１２２  内凹曲面
１３０  羽根
１３１  副羽根
１３３  延伸曲面
１３４  外凸曲面
１４０  中心軸
１５０  出気口
【図１】
0003197232.tif 000003
【図２】
0003197232.tif 000004
【図３】
0003197232.tif 000005
【図４】
0003197232.tif 000006